(57)【要約】【課題】この発明は、荷物運搬台車に荷物を載せて運ぶ時に、荷物が落下しにくいように、荷物落下防止のゼンマイ式ユニットを荷物の形状によって荷物運搬台車のハンドル部分に面ファスナー付ベルトにより装着し、ナイロンバンドを引き出し、荷物の落下を防ぐ様に、簡単に固定できるようにした、運搬台車用荷物落下防止装置を提供する。【解決手段】  先端部に、Ｊ字型フックを有したナイロンベルトを装置より繰り出し、台車上の荷物を固定出来き、側面には実施装置を荷物運搬台車の必要な部分に簡単に装着出来る事を特徴とする。【選択図】図１
2015013689.tif 000002
【特許請求の範囲】
【請求項１】
先端に、Ｊ字型フックを有するナイロンバンドの引き出し収納が可能な、ゼンマイ式ユニットで、前ユニットの側壁に、面ファスナーを備え、ポールハンドルを有する荷物運搬台車のポール部分に、着脱可能に取り付けられる事を特徴とする運搬台車用荷物落下防止装置である。
【請求項２】
前記ゼンマイ式ユニットの側壁設けられたマグネットを備える請求項１に記載の運搬台車用荷物落下防止装置。
【発明の詳細な説明】
【技術分野】
【０００１】  この発明は、ポールハンドル付荷物運搬台車に荷物を載せて運ぶ時に、荷物が落下しない様に、荷物を固定する装置に関する。
【背景技術】
【０００２】従来、荷物を運ぶ道具としては、台板にキャスターとポールハンドルと横板幕の付いているもので、荷物の落下防止の装置は付いていないのが一般的だった。
また、それに近いものは有ったが、装置の固定位置が定まっており、荷物を縛る向きが限定される為に、荷台に積む荷物の形状等によっては、使い辛かった。
【先行技術文献】
【特許文献】
【０００３】
【特許文献１】特開平１１−１６５６４１
【発明の概要】
【発明が解決しようとする課題】
【０００４】  従来のポールハンドル付荷物運搬台車に荷物を載せて運んでいる時、路面の凸凹や振動により、荷物が常に載せた場所に定着しておらず、振動による荷物の落下や、移動、又、荷物のずれが生じる度に、再び止まって荷物を整える必要があった。その為、荷物の固定の為に、荷物を括る紐や、ゴム製のバンド等の固定用具を用意していなければならなかった。【０００５】しかし、必要性のない所では、上記の固定用具が邪魔になった。【０００６】又、ポールハンドル付運搬台車の荷台に荷物を載せ、スロープなどの傾斜で使用する時は、ポールハンドル付運搬台車を前面に傾け使用する為、荷台より荷物が落下しない様に、ポールハンドル付運搬台車の荷台に荷物を載せ、ポールハンドル付運搬台車を逆方向に使用し、後ろ向きになってスロープ等を下り、荷物の落下を防いでいた。【０００８】従来、ポールハンドル付荷物運搬用台車に、荷物固定装置の備え付けの物も有ったが、何れの物も、一定嵩や大きさ、また、箱型の荷物を固定する目的の為に、運搬台車の荷物固定装置の装着箇所が決まっている為、様々な形状や荷物の嵩によって、うまく荷台上の荷物の固定が出来なかった。【０００７】そこで、本発明は、簡単な作業により、ポールハンドル付荷物運搬台車のポール部分に、簡単に、装着場所の移動出が出来る荷物落下防止装置を提供することを目的とする。
【課題を解決するための手段】
【０００８】先端部に、Ｊ字型フックを有したナイロンベルトを繰り出し、台車上の荷物を固定出来るゼンマイ式ユニットを荷物運搬台車の必要な部分に装着する。
本発明は、以上を特徴とする運搬台車用荷物落下防止装置である。
【発明の効果】
【０００６】本発明の運搬台車用荷物落下防止装置なら、簡単に荷物運搬台車のポールハンドルに着脱可能に装着出来、様々な形状の荷物を固定出来る。
【図面の簡単な説明】
【０００７】
【図１】本発明の一実施形態におけるポールハンドル付運搬台車用荷物落下防止装置の右側面斜視図である。
【図２】同実施形態におけるポールハンドル付運搬台車用荷物落下防止装置の右側平面図である。
【図３】同実施形態におけるポールハンドル付運搬台車用荷物落下防止装置の左側平面図である。
【図４】同実施形態をポールに装着した斜視図である。
【図５】同実施形態における装着装置の断面図である。
【図６】一般的な形状の荷物を同実施形態にて使用した斜視図である。
【図７】複数の形の異なった荷物や、道具等を、同実施形態にて使用した斜視図である。
【発明を実施するための形態】
【０００８】  以下、本発明の実施形態につい図１から図７を用いて詳細に説明する。
図１のゼンマイ式ユニット本体（７）は、ポールハンドル付荷物運搬台車（１）のポール部分に、場所を選ばず装着する事の出来る装着装置（８）を、図２のゼンマイ式ユニット本体（７）の右側面部（２１）に備えている。装着装置（８）の構造は、図５の断面図の様に、先端部分に面ファスナーの付きベルト（１５）と、荷物運搬台車のポールハンドル部分（２）との密着する部分には、回転止めの為の突起状ラバー（１６）と、装置時の剛性を高める為の固定ステー（１７）と、固定リング（１３）固定リング用ベルト（１４）にて構成されている。
ゼンマイ式ユニット本体（７）の内部は、ペット用のリードなどで利用されているゼンマイ式で、本体より先端に有するＪ字型フック（１０）にて、ナイロンバンド（９）をゼンマイ式ユニット本体（７）のナイロンバンド引き出し口（２０）より必要な長さを引き出す事が出来る。
引出したナイロンバンド（９）は、ゼンマイ式ユニット本体（７）に付いているバンドロック／解除ボタン（１１）を押す事によって簡単確実にロックする事が出来る。
ナイロンバンド（９）の収納時は、同ボタン（１１）にて解除することで、ゼンマイ式ユニット本体（７）内部にナイロンバンド（９）を巻き取り収納する事が出来る。
【０００９】  使用方法は、例えば、図６の様に、ポールハンドル付荷物運搬台車（１）の荷台（５）の上に積載する荷物（６）が、一般的な形状の荷物を固定整った形の荷物の場合は、図４の様にポールハンドル付荷物運搬台車（１）の、ポール部分（２）の縦のポール部分に、同実施形態（７）を、装着装置（８）を使い、装着する。装着する方法は図４の様に、ゼンマイ式ユニット本体（７）をポールハンドル付荷物運搬台車（１）の、ポール部分（２）に添え、装着角度を決め、固定リング用ベルト（１４）先端の固定リング（１３）の隙間へ、面ファスナー付きベルト（１５）を通過させ、ポール部分（２）に巻きつけ、通過させた面ファスナー付きベルト（１５）を手前に引っ張る事で、ポール部分に固定ステー（１７）と、突起状ラバー（１６）の働きによりゼンマイ式ユニット本体（７）がポール部分（２）に密着する。  確実に密着させた後、面ファスナー付きベルト（１５）にて確実に固定する。固定が出来れば、図６の場合等の時は、装着したゼンマイ式ユニット本体（７）のＪ字型フック（１０）にて必要な長さのナイロンバンド（９）を、ナイロンバンド引き出し口（２０）より引っ張り出し、荷物（６）に巻きつけ、Ｊ字型フック（１０）を反対側の縦のポール部分に引っ掛け、バンドロック／解除ボタン（１１）を押し荷物（６）を固定する。
【００１０】  また、図７の様に、様々な複数の形の異なる荷物（６）（１７）（１８）等の荷物を固定する場合は、ゼンマイ式ユニット本体（７）の装着部分を移動させ、同装着装置（８）にて前記の様に装着し、荷物（６）（１７）（１８）を固定して使用する事が出来る。
【００１１】そのうえ、この同実施形態の装置（７）を使用しない場合は装置左側面（２２）のマグネット（１２）にて、ポールハンドル付荷物運搬台車のスチール部分や、横幕板（３）等に装着保管しておく事が出来る為、余分な持ち物が増える事がない。
本発明は、以上のような構成よりなるポールハンドル付運搬台車用荷物落下防止装置である。
【符号の説明】
【００１３】  （１）ポールハンドル付荷物運搬台車
（２）荷物運搬台車ポールハンドル部分
（３）荷物運搬台車横幕板
（４）車輪
（５）荷台
（６）荷物
（７）ゼンマイ式ユニット本体
（８）装着装置
（９）ナイロンバンド
（１０）Ｊ字型フック
（１１）バンドロック／解除ボタン
（１２）マグネット
（１３）固定リング
（１４）固定リング用ベルト
（１５）面ファスナー付ベルト
（１６）滑り止めラバー
（１７）固定ステー
（１８）工具バスケット
（１９）脚立
（２０）ナイロンバンド引き出し口
（２１）ゼンマイ式ユニット右側面
（２２）ゼンマイ式ユニット左側面
【図１】
2015013689.tif 000003
【図３】
2015013689.tif 000004
【図４】
2015013689.tif 000005
【図５】
2015013689.tif 000006
【図６】
2015013689.tif 000007
【図７】
2015013689.tif 000008
【手続補正書】
【提出日】平成25年9月18日(2013.9.18)
【手続補正１】
【補正対象書類名】図面
【補正対象項目名】図２
【補正方法】追加
【補正の内容】
【図２】
2015013689.tif 000009